(57)【要約】【課題】小型同軸ケーブル用のコネクタを提供する。【解決手段】金属ケース、絶縁台、接触端子を含むものであり、金属ケースがスロットと限定アームが設けられているケースを有し、ケースには一体延設された折り曲げ可能な挟持部が設けられ、前記挟持部の両側にそれぞれ複数個の挟持板が設置されている。絶縁台はスロットに設置されている溝体を有し、前記溝体に固定バー、接合口と電線台が設けられ、前記電線台は前記一対の制限アームの内周に位置し、前記一対の制限アームとの長さが等しい構造である。接触端子の底部と頂部にはそれぞれ一対の接触板と前後に交叉する一対の弧状リベット板が設置され、同軸ケーブルの芯線にしめられる。金属ケースの挟持板が折曲され、並びに設置されている複数個の挟持板によりそれぞれ前記ケース外部、前記ケースの制限アーム、及び前記同軸ケーブルの外部などと挟持し固着する。そのうち制限アームの外周を固着する挟持板は開口状となる五面挟持板である。【選択図】図３
0003141018.tif 000002
【実用新案登録請求の範囲】
【請求項１】
内層から外層へ順に芯線、絶縁層、編組導体と絶縁コートからなる小型同軸ケーブル用コネクタであって、
前記コネクタは、垂直方向に円筒形のケースを有し前記ケースの内周と片側にそれぞれスロット及び一対の制限アームを有する金属ケースであって、前記ケース外縁先端部は折曲部を経由して挟持部を一体延設されており、前記挟持部は前記折曲部を転向点として折り曲げ、前記挟持部の両側にそれぞれ第一挟持板、第二挟持板、第三挟持板及び第四挟持板を設置するものと、
その垂直方向に溝体を有して前記溝体が前記金属ケースのスロットに設置されている絶縁台であって、前記溝体の外縁頂部に固定バーが延設されると共に、前記溝体の内周及び片側にそれぞれ接合口と電線台を設け、前記電線台は前記一対の制限アームの内周に位置し、前記同軸ケーブルを跨設させると共に、前記一対の制限アームとの長さが等しい構造であるものと、
底部に一対の接触板を設置し前記一対の接触板が前記絶縁台の接合口に設置される接触端子であって、前記接触端子の頂部両側には前後に交叉する一対の弧状リベット板が設置され、前記一対のリベット板が前記同軸ケーブルの芯線にしめて固着されるものと、
前記金属ケースの挟持板が折曲され前記第一挟持板、第二挟持板、第三挟持板及び第四挟持板によりそれぞれ前記ケース外部、前記ケースの制限アーム、前記同軸ケーブルの編組導体及び前記同軸ケーブルの絶縁コートを挟持し固着することを特徴とする、小型同軸ケーブル用コネクタ。
【請求項２】
前記金属ケースの第二挟持板が開口状となる五面挟持板で、各角の予め設置されている折曲点と前記金属ケースの制限アームの各折り曲げ角とが対応することを特徴とする、請求項１に記載の小型同軸ケーブル用コネクタ。
【考案の詳細な説明】
【技術分野】
【０００１】
本考案は小型同軸ケーブル用コネクタの構造に関わり、特に全体の組み立てが密接接合しており、信号のゆがみが生じにくい小型同軸ケーブル用コネクタである。
【背景技術】
【０００２】
図１と図２に従来の一般的な小型同軸ケーブルの組み立て工程及び組み立て完成後の断面図を示す。前記従来の小型同軸ケーブル用のコネクタは絶縁台１と金属ケース２を含む。
【０００３】
絶縁台１の垂直方向に円筒形の溝体１１を有する。溝体１１の外縁先端部が延伸して固定バーが設置されており、溝体１１の内周に上下に貫通している接合口１３が形成されており、溝体１１の片側は横向きに延伸して電線台１４が形成されている。
【０００４】
溝体１１には接触端子１５が設置されている。接触端子１５の底部には溝体１１の接合口１３に貫通して設置されている接触版１５１を有し、接触端子１５の頂部には折り曲がった固定バー１５２が形成されている。
【０００５】
金属ケース２の垂直方向に円筒形のケース２１を有し、ケース２１の内周には上下に貫通したスロット２１１が形成され、且つケース２１の片側は横向きに延伸して一対の突き出ている制限アーム２１２が形成されている。ケース２１の外縁先端部が延伸して挟持部２２が設置されており、挟持部２２とケース２１は一体成型している。挟持部２２とケース２１の間には折曲部２３が形成され、挟持部２２は前記折曲部２３を転向点として折り曲げることができる。挟持部２２の両側にはそれぞれ一対の第一挟持板２２１、第二挟持板２２２及び第三挟持板２２３が設置されている。
【０００６】
同軸ケーブル３は内層から外層へ順に芯線３１、絶縁層３２、編組導体３３と絶縁コート３４からなる。
【０００７】
全体を組み立てる際、先ず絶縁台１と接触端子１５を金属ケース２のスロット２１１内に設置し、同時に絶縁台１の電線台１４を金属ケース２における一対の制限アーム２１２の間に置く。続いて、同軸ケーブル２を絶縁台１の頂部に設置し、同軸ケーブル２の芯線３１を接触端子１５に穿設でき、それから治具を用いてもともと垂直であった挟持部２２を水平方向に折り曲げ、同軸ケーブル３に対しパッキング押さえを行い、同軸ケーブル３の芯線３１が挟持部２２、固定バー１２及び接触端子１５の固定バー１５２により固定され、芯線３１と接触端子１５を挟持することができる。最後に挟持部２２の両側の第一挟持板２２１、第二挟持板２２２及び第三挟持板２２３をそれぞれケース２１の制限アーム２１２、同軸ケーブル３の編組導体３３及び同軸ケーブル３の絶縁台コート３４上に挟持し固着することで、前記従来の小型同軸ケーブル用のコネクタの構造が完成する。
【０００８】
しかし、前記従来の一般的な同軸ケーブルコネクタは、絶縁台１の電線台１４が金属ケース２の限定アーム２１２よりも短いので、挟持部２２が第一挟持板２２１により限定アーム２１２に挟持し固着されるとき、前記制限アームの内周が詰まった状態ではなく、空気の隙間が生じることになり、高周波信号を伝達するとき、空気の隙間により信号のゆがみが生じやすくなる。さらに、前記従来の小型同軸ケーブル用のコネクタは固定バー１５２により上下を挟持する方式で同軸ケーブル３の芯線３１を挟持しているだけなので、挟持力が十分ではなく、接触不良が起こりやすくなり、信号の伝達品質に影響を及ぼす。
【考案の開示】
【考案が解決しようとする課題】
【０００９】
考案人は前述の従来における小型同軸ケーブル用のコネクタの欠点に鑑み、本考案における同軸ケーブル用コネクタ構造を提供し、従来技術の欠点を排除することを期待する。
【００１０】
本考案の主な目的は小型同軸ケーブル用のコネクタ構造を提供することで、全体の組み立てが密接接合しており、信号伝達の際、信号のゆがみが生じにくく、信号の伝達品質を確保するものである。
【課題を解決するための手段】
【００１１】
上記の目的によると、本考案の小型同軸ケーブル用コネクタは金属ケースと絶縁台及び接触端子を含む。金属ケースは円筒形のケースを有し、前記ケースの内周と片側にそれぞれスロット及び一対の制限アームを含み、前記ケース外縁先端部には一体延設された折り曲げ可能な挟持部が設けられ、前記挟持部の両側にそれぞれ複数個の挟持板が設置されている。絶縁台は金属ケースのスロットに設置されている溝体を有し、前記溝体の外縁頂部に固定バーが延設されると共に、前記溝体の内周及び片側にそれぞれ接合口と電線台を設け、前記電線台は前記一対の制限アームの内周に位置し、前記一対の制限アームとの長さが等しい構造であり、接触端子の底部には前記絶縁台の接合口に設置される一対の接触板が設けられ、前記接触端子の頂部両側には前後に交叉する一対の弧状リベット板が設置され、前記一対のリベット板が前記同軸ケーブルの芯線にしめて固着される。金属ケースの挟持板が折曲され、並びに設置されている複数個の挟持板によりそれぞれ前記ケース外部、前記ケースの制限アーム、及び前記同軸ケーブルの外部などと挟持し固着する。このように電線台と制限アームにより長さが等しい構造となり、電線台が制限アームの内周をうめることができるので、金属ケースの挟持板が制限アームの外周を挟持し固着する時、平らで隙間がない接合が得られるので、構造が安定し、且つ信号のゆがみが生じにくくなる。
【００１２】
また、金属ケースの挟持板の一つが開口状となる五面挟持板で、各角の予め設置されている折曲点と前記金属ケースの制限アームの各折り曲げ角とが対応するので、隙間がない状態で制限アームとその内周の電線台を挟持し、密着性が高まる。
【考案の効果】
【００１３】
本考案によれば小型同軸ケーブル用のコネクタ構造を提供することで、全体の組み立てが密接接合しており、信号伝達の際、信号のゆがみが生じにくく、信号の伝達品質を確保するものである。
【考案を実施するための最良の形態】
【００１４】
以下、添付図面を参照して本考案の実施の形態を詳細に説明する。
【００１５】
図３乃至６に示すように、本考案の小型同軸ケーブル用コネクタは接触端子５、絶縁台６及び金属ケース７を含む。
【００１６】
接触端子５の底部には下向きに一対の接触板５１が設けられ、頂部の両側には上向きに前後に交叉する一対の弧状リベット板５２が設けられている。前記一対の前後に交叉する弧状リベット板５２は同軸ケーブル３の芯線３１に対して前後両方で挟持し固着することができ、堅固なしめ固着作用を備えることになるので芯線３１を傷つけることがない。
【００１７】
絶縁台６の垂直方向に円筒形の溝体６１を有する。溝体６１の外縁頂部に固定バー６２が延設され、溝体６１の内周に上下に貫通している接合口６３が形成され、溝体６１の片側は横向きに電線台６４が延設され、同軸ケーブル３の芯線３１と絶縁層３２を跨設させる。電線台６４は下記金属ケース７の制限を受ける。
【００１８】
金属ケース７の垂直方向に円筒形のケース７１を有し、ケース７１の内周には上下に貫通しているスロット７１１が形成され、且つケース７１の片側には横向きに一対の突き出ている制限アーム７１２が延設されている。前記限定アーム７１２の間には適当な間隔があり、絶縁台６の電線台６４が前記限定アーム７１２の内周に位置するように制限するために用いられ、且つ本考案の設計においては、電線台６４と限定アーム７１２が同等の長さの構造を持つ。ケース７１の外縁先端部には延設された挟持部７２が設けられ、前記挟持部７２とケース７１は一体成型されている。挟持部７２とケース７１の間には折曲部７３が形成され、挟持部７２が前記折曲部７３を転向点として折り曲げ、並びに同軸ケーブル３を固定する機能をもつ。挟持部７２の両側にそれぞれ第一挟持板７２１、第二挟持板７２２、第三挟持板７２３及び第四挟持板７２４が設置されている。
【００１９】
図７、８に示すように、組み立て時は接触端子５の前後で交差している弧状リベット板５２をそれぞれ内側に折り曲げ同軸ケーブルの芯線３１にしめて挟持し固着する（図４）。続いて接触端子５を前記接触板５１により絶縁台６の溝体６１の接合口６３内に設置すると共に絶縁台６を接触端子５と一緒に金属ケース７のスロット７１１内に設置する（図５と図７に示す）。その後、治具を用いてもともと垂直であった挟持部７２を水平方向に折り曲げ、同軸ケーブル３に対しパッキング押さえを行うと共に、挟持部７２の両側の第一挟持板７２１、第二挟持板７２２及び第三挟持板７２３及び第四挟持板７２４によりそれぞれケース７１の外部、ケース７１の制限アーム７１２、同軸ケーブル３の編組導体３３及び同軸ケーブル３の絶縁台コート３４上に挟持し固着することで（図６、図８に示す）、本考案における小型同軸ケーブル用のコネクタの組み立てと構造が完成する。
【００２０】
本考案のコネクタは組み立て完成後において、一般的なコネクタの連結作用を有し、絶縁台６の固定バー６２は接触端子５と金属ケース７の間にあるので、絶縁作用を有する。金属ケース７の挟持部７２と同軸ケーブル３の編組導体３３が互いに挟持し固着しているのでアース作用を有する。同軸ケーブル３の芯線３１は接触端子５を経由すると共に接合口６３により、その他の物質と電気的に接続することができる。
【００２１】
然しながら、本考案のコネクタの設計に基づくと、絶縁台６の電線台６４と金属ケース７の制限アーム７１２により同等の長さの構造を持ち、電線台６４が制限アーム７１２の内周空間をうめることができるので、金属ケース７の第二挟持板７２２が制限アーム７１２の外周を挟持し固着する時、制限アーム７１２の内周において平らで隙間がない接合が得られるので、信号伝達の際、信号のゆがみが生じにくくなる。また、本考案のコネクタ構造は、接触端子の前後で交差している弧状リベット板５２によりそれぞれ同軸ケーブル３の芯線３１にしめて挟持し固着し、芯線３１と接触端子５の間に二つの、しめて挟持し固着する挟持力が生じ、固定力が増加する。且つ前後で交差している弧状リベット板５２は対応するリベット板が長すぎたり短すぎることによりリベット板の断裂或いは芯線３１が傷つくことを防ぐことができる。
【００２２】
実施する際、第二挟持板７２２は開口状となる五面挟持板で、各角（４つの角）の予め設置されている折曲点と金属ケース７の制限アーム７１２の各折り曲げ角とが対応するので、前記五面挟持板の形状により、第二挟持板７２２は隙間がない状態で制限アーム７１２とその内周の電線台６４を挟持し、密着性が高まる。
【図面の簡単な説明】
【００２３】
【図１】図１は従来の小型同軸ケーブル用のコネクタを示す断面図
【図２】図２は図１のコネクタの組み立て完成後を示す断面図
【図３】図３は本考案の小型同軸ケーブル用のコネクタを示す傾斜分解図
【図４】図４は図３のコネクタの組み立て工程を示す概略図一
【図５】図５は図３のコネクタの組み立て工程を示す概略図二
【図６】図６は図３のコネクタの組み立て完成後を示す断面図
【図７】図７は図５のコネクタを示す断面図
【図８】図８は図６のコネクタを示す断面図
【符号の説明】
【００２４】
１        絶縁台
１１      溝体
１２      固定バー
１３      接合口
１４      電線台
５        接触端子
１５１    接触板
１５２    固定バー
２        金属ケース
２１      ケース
２１１    スロット
２１２    制限アーム
２２      挟持部
２２１    第一挟持板
２２２    第二挟持板
２２３    第三挟持板
３        同軸ケーブル
３１      芯線
３２      絶縁層
３３      編組導体
３４      絶縁コート
５        接触端子
５１      接触板
５２      弧状リベット板
６        絶縁台
６１      溝体
６２      固定バー
６３      接合口
６４      電線台
７        金属ケース
７１      ケース
７１１    スロット
７１２    制限アーム
７２      挟持部
７２１    第一挟持板
７２２    第二挟持板
７２３    第三挟持板
７２４    第四挟持板
７３      折曲部
【図１】
0003141018.tif 000003
【図２】
0003141018.tif 000004
【図３】
0003141018.tif 000005
【図４】
0003141018.tif 000006
【図５】
0003141018.tif 000007
【図６】
0003141018.tif 000008
【図７】
0003141018.tif 000009
【図８】
0003141018.tif 000010